(57)【要約】【課題】  ローラーを用いるマッサージ具として、極めて簡素な構造で大きなマッサージ作用を発揮でき、手動式では軽く操作するだけで強いマッサージ効果が得られ、自動式でもローラーの往復動作のみで強いマッサージ効果が得られ、格別な動作機構を必要とせず製作コストを低減できるものを提供する。【解決手段】  基体１に、相互の回転軸方向Ｐ，Ｐがハの字形に配置する遊転ローラー対２０が取り付けられてなる。【選択図】                図１
2005095235.tif 000002
【特許請求の範囲】
【請求項１】
基体に、相互の回転軸方向がハの字形に配置する少なくとも一対の遊転ローラー対が取り付けられてなるマッサージ具。
【請求項２】
相互の回転軸方向がハの字形に配置する遊転ローラー対と、相互の回転軸方向が逆ハの字形に配置する遊転ローラー対とを有してなる請求項１記載のマッサージ具。
【請求項３】
前記基体が手動マッサージ器の把持部をなす請求項１又は２に記載のマッサージ具。
【請求項４】
前記基体がマッサージチェアの背もたれ部であり、この背もたれ部の前面側に前記遊転ローラー対が昇降可能に取り付けられてなる請求項１又は２に記載のマッサージ具。
【発明の詳細な説明】
【技術分野】
【０００１】
本発明は、ローラーを用いた手動マッサージ器やマッサージチェア等のマッサージ具に関する。
【背景技術】
【０００２】
従来より、ローラーを用いた手動マッサージ器として、ローラーの数と形状、ローラーの取付基体や柄部の形状等が異なる多種類のものが存在するが、いずれも身体のマッサージを要する部位にローラーを押し当てた状態で器具全体を直線的に往復動作させるようになっている。従って、これら手動マッサージ器によるマッサージ作用の大きさは、身体へのローラーの押圧力と往復動作の速さによって定まることになる。
【０００３】
一方、機械的手段による自動式マッサージを行うものの代表格として、マッサージチェアがある。しかして、このマッサージチェアは、基本的には背もたれ部の前面側に突設した左右一対あるいは複数対のローラーを昇降駆動させることにより、座った使用者の背骨の両側に沿って転動するローラー対の刺激によってマッサージ作用が得られるが、機種によってローラー対の昇降動作に振動や前後突出量変化、首振り揺動等を加えてマッサージ効果を高めるようにしたものもある。
【発明の開示】
【発明が解決しようとする課題】
【０００４】
従来のローラーを用いた手動マッサージ器では、大きなマッサージ作用を得るには、身体へのローラーの押圧を強めるか、往復動作を速くせねばならず、それだけ多くの労力を要するから、マッサージのために却って疲労することになりかねず、使い勝手が悪いという難点があった。また、従来のマッサージチェアでは、ローラー対の昇降動作だけでは大きなマッサージ作用が得られず、これを補うためにローラー対の振動、前後突出量変化、首振り揺動等を加える場合は、これらの動作機構を組み込むために構造が複雑化し、製作コストが高く付くと共に故障を生じ易くなるという問題があった。
【０００５】
本発明は、上述の情況に鑑み、ローラーを用いるマッサージ具として、極めて簡素な構造で大きなマッサージ作用を発揮でき、手動式では軽く操作するだけで強いマッサージ効果が得られ、また自動式でもローラーの往復動作のみで強いマッサージ効果が得られ、もって格別な動作機構を必要とせず低コストで製作できるものを提供することを目的としている。
【課題を解決するための手段】
【０００６】
上記目的を達成するために、本発明の請求項１に係るマッサージ具は、図面の参照符号を付して示せば、基体１，１０に、相互の回転軸方向Ｐ，Ｐがハの字形に配置する少なくとも一対の遊転ローラー対２０，２０Ａ，２０Ｂが取り付けられてなる構成を採用している。
【０００７】
請求項２の発明は、上記請求項１のマッサージ具において、相互の回転軸方向Ｐ，Ｐがハの字形に配置する遊転ローラー対２０Ｂと、相互の回転軸方向Ｐ，Ｐが逆ハの字形に配置する遊転ローラー対２０Ａとを有してなる構成としている。
【０００８】
請求項３の発明は、上記請求項１又は２のマッサージ具において、前記基体１が手動マッサージ器の把持部をなすものとしている。
【０００９】
請求項４の発明は、上記請求項１又は２のマッサージ具において、前記基体１０がマッサージチェア１１の背もたれ部１１であり、この背もたれ部１１の前面側に前記遊転ローラー対２０Ａ，２０Ｂが昇降可能に取り付けられてなるものとしている。
【発明の効果】
【００１０】
請求項１の発明に係るマッサージ具によれば、対をなす２個の遊転ローラーが相互の回転軸方向をハの字形にして配置していることから、両遊転ローラーを使用者の身体に軽く押し当てた状態で、両両遊転ローラーの回転軸方向の交叉側を前としてマッサージ具を移動させた際、進行方向に対して傾斜した両遊転ローラーの滑りを伴う転動により、接触部位の体表部が両遊転ローラー間の中央側へ引き寄せられる結果、両遊転ローラーが身体に食い付く形になって筋肉を掴み込み、この掴み込まれた筋肉が両遊転ローラー間を脱した際に元の状態に戻り、もって強力なマッサージ効果が得られる。また、両遊転ローラーの転動によって接触部位に対する過摩擦が防止される。一方、マッサージ具自体は、基体に遊転ローラー対を設けるだけであるから、構造的に簡素で安価に製作できる。
【００１１】
請求項２の発明によれば、回転軸方向のハの字形配置を逆にする複数対の遊転ローラー対を有するから、マッサージ具の往復動作における往動時と復動時のいずれにおいても、一方の遊転ローラー対が身体に食い付く共に、その直前又は直後に他方の遊転ローラー対によって両遊転ローラー間の体表面部が左右外側へ引き伸ばされる形になり、より良好なマッサージ効果が得られる。
【００１２】
請求項３の発明によれば、特に手動マッサージ器として、軽い操作で強いマッサージ効果が得られ、使い勝手のよいものが提供される。
【００１３】
請求項４の発明によれば、特にマッサージチェアとして、遊転ローラー対の昇降動作だけで強力なマッサージ効果が得られ、他の格別な動作機構を必要とせず、もって構造的に簡素で安価に製作できるものが提供される。
【発明を実施するための最良の形態】
【００１４】
以下、本発明に係るマッサージ具の実施形態について、図面を参照して具体的に説明する。図１〜図４は第一実施形態の手動マッサージ器、図５（Ａ）（Ｂ）は本発明によるマッサージ作用の原理、図６及び図７は第二実施形態の手動マッサージ器、図８は第三実施形態の手動マッサージ器、図９は第四実施形態のマッサージチェア、をそれぞれ示す。
【００１５】
第一実施形態の手動マッサージ器は、木又は硬質合成樹脂成形物からなるやや湾曲した形状の厚板状基体１の片面側に、相互の回転軸方向Ｐ，Ｐがハの字形に配置する２個の遊転ローラー２，２よりなる遊転ローラー対２０が設けてある。
【００１６】
しかして、各遊転ローラー２は、硬質合成樹脂成形物からなるローラー本体２ａの外周にゴムリング２ｂを嵌装一体化したものであり（図４参照）、正面視コ字状をなす金属製支持枠３の両側三角突片３ｂ，３ｂの頂部間に横架した枢支ピン４に遊転自在に枢支されており、該支持枠３の基板部３ａをクッションゴム層５を介してビス６，６で基体１に固着することにより、キャスター形態として該基体１に取り付けられている。
【００１７】
このような手動マッサージ器は、使用者が基体１を把持し、マッサージしたい身体の部位に遊転ローラー２，２を軽く押し当て、この押当状態で全体を両遊転ローラー２，２の回転軸方向Ｐ，Ｐの交叉側つまりハの字形の開き側を前にして、両回転軸方向Ｐ，Ｐの中線Ｏに沿って移動させるだけで、強力なマッサージ効果が得られる。
【００１８】
このマッサージ作用の原理を図５（Ａ）（Ｂ）によって説明する。すなわち、相互の回転軸方向Ｐ，Ｐがハの字形に配置した遊転ローラー２，２を身体Ｍに軽く押し当てた状態で、両遊転ローラー２，２の回転軸方向Ｐ，Ｐの交叉側を前にして、両回転軸方向Ｐ，Ｐの中線Ｏに沿って移動させると、両遊転ローラー２，２は接触抵抗によって転動しようとするが、その両転動方向が図５（Ａ）の如く進行方向に対して傾斜して中線Ｏから遠ざかる方向となるため、接触部位で強いブレーキング作用を生じて滑りを伴う転動つまり回転遅れを生じることになり、その接触抵抗によって図５（Ｂ）の如く身体Ｍの体表部が両遊転ローラー２，２間の中央側へ引き寄せられ、これに伴って両遊転ローラー２，２が身体に食い付く形になって筋肉を掴み込む。そして、この掴み込まれた筋肉は、両遊転ローラー２，２にて両側から適度に圧迫された上で、両遊転ローラー２，２間を脱して元の状態に戻るから、この過程で強いマッサージ作用を受けることになる。また、両遊転ローラー２，２は回転停止せずに転がるため、接触部位に対する過摩擦を回避でき、もって使用感が心地よいものとなる。
【００１９】
なお、このような強力なマッサージ効果を得る上で、両遊転ローラー２，２の回転軸方向Ｐ，Ｐの交叉角θ（図２参照）は、６０〜１５０度の範囲に設定するのがよく、特に７０〜１２０度の範囲が推奨される。
【００２０】
図６及び図７に示す第二実施形態の手動マッサージ器は、硬質合成樹脂成形物からなる厚板状基体１の片面側に、左右一対の山形膨出部１ａ，１ａが突設されると共に、各膨出部１ａには頂部側に矩形に開くポケット部１ｂが形成されており、各ポケット部１ｂに遊転ローラー２がその一部を突出した状態で枢支ピン４を介して回転自在に抱持されている。そして、左右のポケット部１ｂ，１ｂは、抱持した遊転ローラー対２０の遊転ローラー２，２相互の回転軸方向Ｐ，Ｐが前記第一実施形態と同様にハの字形になる向きに設定されている。
【００２１】
この第二実施形態の手動マッサージ器でも、前記第一実施形態のものと同様に、マッサージしたい身体の部位に遊転ローラー２…を軽く押し当て、両遊転ローラー２，２の回転軸方向Ｐ，Ｐの交叉側を前にして中線Ｏに沿って移動させるだけで、強力なマッサージ効果が得られる。しかして、この第二実施形態では、各遊転ローラー２の一部だけが基体１から突出しているため、外観体裁がよいことに加え、山形膨出部１ａを角のない滑らかな形状にして肌への当たりを柔らかくでき、また第一実施形態のような金属製保持枠が不要であるため、組立製作が容易で量産によるコスト低減を図れるという利点がある。
【００２２】
図８に示す第三実施形態の手動マッサージ器は、木又は硬質合成樹脂成形物からなる略瓢箪形の厚板状基体１の片面側に、相互の回転軸方向Ｐ，Ｐがハの字形に配置する２個の遊転ローラー２，２よりなる遊転ローラー対２０Ａと、相互の回転軸方向Ｐ，Ｐが逆ハの字形に配置する２個の遊転ローラー２，２よりなる遊転ローラー対２０Ｂとが、該基体１の長手方向に対向するように設けてある。また、基体１は、把持し易いように、左右両側中央部に凹み１ｃ，１ｃを設けている。しかして、各遊転ローラー２の保持構造と基体１に対する取付構造は前記第一実施形態と同様である。
【００２３】
この第三実施形態の手動マッサージ器では、使用者が基体１を把持し、マッサージしたい身体の部位に遊転ローラー２…を軽く押し当て、この押当状態で全体を基体１の長手方向つまり図８の中線方向Ｏに往復移動させるだけで、強力なマッサージ効果が得られる。すなわち、往復動作における往動時と復動時のいずれにおいても、進行方向前部側の遊転ローラー対（例えば２０Ａ）が身体に食い付くと共に、その直後に後部側の遊転ローラー対（例えば２０Ｂ）によって両遊転ローラー間の体表面部が左右外側へ引き伸ばされる形になり、両作用が相俟ってより良好なマッサージ効果が得られる。
【００２４】
本発明を適用した手動マッサージ器は、前記第一〜第三実施形態の構成に限らず、２個の遊転ローラー２，２の回転軸方向Ｐ，Ｐが同じ向きのハの字形に配置する複数対の遊転ローラー対を有する構成、同回転軸方向Ｐ，Ｐがハの字形と逆ハの字形で一方が二対以上である構成、同回転軸方向Ｐ，Ｐがハの字形と逆ハの字形の二対で且つ第三実施形態とは逆に同回転軸方向Ｐ，Ｐの交叉側が基体１の内側に向く構成、のいずれをも包含する。ただし、回転軸方向Ｐ，Ｐがハの字形と逆ハの字形の二対の遊転ローラー対を有する構成では、回転軸方向Ｐ，Ｐの交叉側が基体１の内側に向くよりも、第三実施形態のように外側に向く方が良好なマッサージ効果が得られる。また、複数対の遊転ローラー対を有する構成についても、第二実施形態のように各遊転ローラー２を基体１に設けたポケット部１ｂで保持させ、そのローラー２の一部のみが該基体１から突出させた形態としてもよい。その他、これらの手動マッサージ器では、例えば、遊転ローラー２，２を球形にしたり、基体１に把手や柄を付設する等、細部構成については第一〜第三実施形態以外に種々設計変更可能である。
【００２５】
また、本発明は機械的手段による自動式マッサージを行うものにも適用可能である。例えば、図９に示す第四実施形態のマッサージチェア１０では、背もたれ部１１の前面側に、上下二対の遊転ローラー対２０Ａ，２０Ｂが枢支片１３を介して突設されており、これら遊転ローラー対２０Ａ，２０Ｂが図示省略した昇降機構によって上下方向のガイド溝１２，１２に沿って昇降駆動するが、上位の遊転ローラー対２０Ａの遊転ローラー２，２は回転軸方向Ｐ，Ｐが逆ハの字形に配置する一方、下位の遊転ローラー対２０Ｂの遊転ローラー２，２は回転軸方向Ｐ，Ｐがハの字形に配置している。
【００２６】
従って、このマッサージチェア１０によれば、座った使用者が背を背もたれ部１１にもたせかけた状態で、二対の遊転ローラー対２０Ａ，２０Ｂを昇降駆動させることにより、これら遊転ローラー対２０Ａ，２０Ｂが各々使用者の背骨の両側に沿って遊転しつつ転動するが、上昇時と下降時のいずれにおいても、一方の遊転ローラー対が身体に食い付いて強力なマッサージ作用を発揮すると共に、他方の遊転ローラー対による体表面部の引き伸ばし作用も働き、もって良好なマッサージ効果が得られる。また、このマッサージチェア１０では、二対の遊転ローラー対２０Ａ，２０Ｂを昇降駆動させるだけでよく、振動、前後突出量変化、首振り揺動等を併用しなくても良好なマッサージを行えるから、格別な動作機構が不要となり、それだけ構成が簡素になって製作コストも低減される。
【００２７】
なお、このようなマッサージチェアにおいても、相互の回転軸方向Ｐ，Ｐがハの字形に配置する２個の遊転ローラー２，２よりなる遊転ローラー対が一対のみである構成、同回転軸方向Ｐ，Ｐが同じ向きのハの字形に配置する複数対の遊転ローラー対を有する構成、同回転軸方向Ｐ，Ｐがハの字形と逆ハの字形で一方が二対以上である構成、同回転軸方向Ｐ，Ｐがハの字形と逆ハの字形の二対で且つ第四実施形態とは逆に同回転軸方向Ｐ，Ｐの交叉側が基体１の内側になる構成、これらのローラ対と共に回転軸方向が左右方向に沿う通常のローラー対を有する構成、のいずれをも包含する。
【図面の簡単な説明】
【００２８】
【図１】本発明の第一実施形態に係る手動マッサージ器の斜視図。
【図２】同手動マッサージ器の底面図。
【図３】同手動マッサージ器における遊転ローラー取付部分の正面図。
【図４】同遊転ローラー取付部分の縦断側面図。
【図５】本発明野マッサージ具によるマッサージ作用の原理を示し、（Ａ）はマッサージ具の移動に伴う遊転ローラーの回転動作を示す模式平面図、（Ｂ）は同移動に伴う体表面部の変形作用を示す模式正面図。
【図６】本発明の第二実施形態に係る手動マッサージ器の側面図。
【図７】同手動マッサージ器の底面図。
【図８】本発明の第三実施形態に係る手動マッサージ器の底面図。
【図９】本発明の第四実施形態に係るマッサージチェアの斜視図。
【符号の説明】
【００２９】
１        基体
２        遊転ローラー
１０      マッサージチェア
１１      背もたれ部
２０      相互の回転軸方向がハの字形に配置した遊転ローラー対
２０Ａ    相互の回転軸方向が逆ハの字形に配置した遊転ローラー対
２０Ｂ    相互の回転軸方向がハの字形に配置した遊転ローラー対
Ｏ        中線方向
Ｐ        回転軸方向
θ        交叉角
【図１】
2005095235.tif 000003
【図２】
2005095235.tif 000004
【図３】
2005095235.tif 000005
【図４】
2005095235.tif 000006
【図５】
2005095235.tif 000007
【図６】
2005095235.tif 000008
【図７】
2005095235.tif 000009
【図８】
2005095235.tif 000010
【図９】
2005095235.tif 000011